(57)【要約】      （修正有）【課題】携帯型電子機器と接続するコネクタを備えたクレイドルにおいて、コネクタによる確実な接続とコネクタの保護の両立を図る。【解決手段】携帯型電子機器１の左右に形成された係止用凹部３と係合して、携帯型電子機器１を装着位置へ案内する左右の勘合爪６と、携帯型電子機器１の底面に形成された係止用孔４と係合して、携帯型電子機器１を装着位置において固定保持する勘合フック７と、左右の勘合爪６と勘合フック７を結ぶ三角形の面内に形成され、携帯型電子機器１が装着された際に電源受給用端子２と連結されるコネクタ８と、コネクタ８を保護するカバー９と、左右の勘合爪６の間に形成され、その移動量がカバー９の開閉の移動量と連動する動作片１０とを備えたクレイドル。【選択図】  図１
2004318648.tif 000002
【特許請求の範囲】
【請求項１】
電源受給用端子を有する携帯型電子機器が着脱自在であり、前記携帯型電子機器本体駆動のための電源供給機能を有するクレイドルであって、前記携帯型電子機器の左右に形成された係止用凹部と係合して、前記携帯型電子機器を装着位置へ案内する左右の勘合爪と、前記携帯型電子機器の底面に形成された係止用孔と係合して、前記携帯型電子機器を装着位置において固定保持する勘合フックと、前記左右の勘合爪と前記勘合フックを結ぶ三角形の面内に形成され、前記携帯型電子機器が装着された際に前記電源受給用端子と連結されるコネクタと、前記コネクタを保護するカバーと、前記左右の勘合爪の間に形成され、前記カバーの開閉を動作させる動作片とを備えたクレイドル。
【請求項２】
前記動作片の移動量が前記カバーの開閉の移動量と連動していることを特徴とする請求項１記載のクレイドル。
【請求項３】
前記携帯型電子機器がポータブルＤＶＤであることを特徴とする請求項１又は請求項２記載のクレイドル。
【発明の詳細な説明】
【０００１】
【発明の属する技術分野】
本発明は、携帯型電子機器を保持して電源の供給やデータの送受信等を行うための携帯電子機器用受け台（ｃｒａｄｌｅ：以下クレイドルと略称）に関する。
【０００２】
【従来の技術】
近年、モバイル（ｍｏｂｉｌｅ：動かし易い、移動性のある）と称される種々の携帯型電子機器が実用化されている。当初は、携帯電話や大型表示装置付きポケットベル等が、そのように呼称されていたが、やがて、携帯型のデータ通信専用の表示装置付き小型機器が市場に姿を現わし、続いて超小型化されたポケット型パソコンが現われ、一段と薄型化されたサブノートパソコンやノートパソコンが現われ、画像データをパソコンと通信可能なディジタルカメラが現われ、小型なハンディスキャナが現われ、そして、小型な携帯型プリンタが現われるなど、情報及び通信に係る全ての電子機器について携帯型のものが実用化されてきた。
【０００３】
これらの携帯型電子機器は、一般に、内部の諸装置を駆動するために充電可能なバッテリー（蓄電池）を内蔵している。そして、これらの内蔵電池を充電するために、あるいは、外部電源や他の電子機器と接続するために、機器本体を固定して保持するクレイドルが使用される場合が多い。
【０００４】
従来のクレイドルは、通常、携帯情報端末である携帯型電子機器を安定して載せるための台座部と、それに一体に形成され、この携帯型電子機器を保持するために保持部と、携帯型電子機器側の接続端子に接触して接続するためのコネクタ（端子部）を備える。コネクタは、携帯情報端末の裏面の接続端子に対応して、保持部の内側に設けられている。（例えば、特許文献１参照。）。
【０００５】
【特許文献１】
特開２００２−３０４２３５号公報（図３（Ａ）〜（Ｄ））
【０００６】
【発明が解決しようとする課題】
ところで、従来は、携帯型電子機器をクレイドルに装着しない場合は、クレイドルに設けられたコネクタは外部に露出しているため、埃やゴミがコネクタに入り込むことがあった。このような場合には、携帯型電子機器をクレイドルに装着する際に、コネクタが携帯型電子機器側の接続端子に確実に接触して接続できなくなるという課題があった。
【０００７】
また、クレイドルに設けられたコネクタは外部に露出しているため、コネクタが破損したり、コネクタの端子間を誤って短絡させて、クレイドルの内部回路に不具合が生じるという課題もあった。
【０００８】
本発明の課題は、上記従来の実情に鑑み、コネクタによる携帯型電子機器との確実な接続とコネクタの保護の両立を図ったクレイドルを提供することである。
【０００９】
【課題を解決するための手段】
上記の課題を解決するために、本発明の請求項１に記載のクレイドルは、携帯型電子機器の左右に形成された係止用凹部と係合して、携帯型電子機器を装着位置へ案内する左右の勘合爪と、携帯型電子機器の底面に形成された係止用孔と係合して、携帯型電子機器を装着位置において固定保持する勘合フックと、左右の勘合爪と前記勘合フックを結ぶ三角形の面内に形成され、携帯型電子機器が装着された際に電源受給用端子と連結されるコネクタと、コネクタを保護するカバーと、左右の勘合爪の間に形成され、カバーの開閉を動作させる動作片とを備えるものである。これにより、携帯型電子機器をクレイドルに装着しない場合は、クレイドルに設けられたコネクタはカバーで保護されているため、埃やゴミがコネクタに入り込むことはなく、また、コネクタが破損したり、コネクタの端子間を誤って短絡させて、クレイドルの内部回路に不具合が生じるという問題もない。さらに、携帯型電子機器をクレイドルに装着する場合は、携帯型電子機器が動作片と当接するため、クレイドルのコネクタを保護するカバーが開閉し、コネクタを介して、携帯型電子機器とクレイドルを確実に接続することができる。
【００１０】
本発明の請求項２に記載のクレイドルは、動作片の移動量がカバーの開閉の移動量と連動していることを特徴とする請求項１記載のクレイドルに関する。これにより、携帯型電子機器をクレイドルに装着するために、携帯型電子機器の左右にある係止用凹部をクレイドルの左右にある勘合爪に係合させた後、携帯型電子機器の係止用孔をクレイドルの勘合フックに近づけるにしたがって、動作片が押圧移動すると共に、コネクタを保護するカバーも開いていくために、コネクタの保護とコネクタによる確実な接続の両立を図ることができる。
【００１１】
【発明の実施の形態】
以下、本発明の実施の形態について図面を参照しながら説明する。第１図は本発明の斜視図を示したもので、１は携帯型電子機器であり、その底面には電源受給用端子２を配置し、また、携帯型電子機器１の左右には係止用凹部３を形成し、さらに底面のキャビネットの一部に係止用孔４を形成している。
【００１２】
携帯型電子機器１の駆動のための電源供給機能を有するクレイドル５には、前記携帯型電子機器１の係止用凹部３に係合する位置に勘合爪６を形成し、携帯型電子機器１の係止用孔４に係合する位置に勘合フック７を配置し、前記勘合爪６と勘合爪７を結ぶ三角形の面内に前記携帯型電子機器１が装着された際に前記電源受給用端子２と連結されるコネクタ８と、前記コネクタ８を保護するカバー９と、前記左右の勘合爪６の間に形成され、前記カバー９の開閉を動作させる動作片１０とを備えている。
【００１３】
以下、着脱動作について説明する。第２図はクレイドル５に対して、携帯型電子機器１を矢印方向に装着している側面図である。図のように挿入していくと、携帯型電子機器１の左右底面に形成したガイドリブ３ａとクレイドル５の受け面６ａが当接し、さらに携帯型電子機器１を挿入し続けると携帯型電子機器１の背面で動作片１０が押され、その動きと連動してカバー９が矢印方向に回転動作する。カバー９の背面側は壁面を無くしており、回転動作することによって内部に配置したコネクタ８が現れる。コネクタ８はプリント基板上に半田付けされ、所定の回路とつながれている。
【００１４】
携帯型電子機器１を勘合爪６に当たるまで挿入すると、勘合爪６と係止用凹部３が係合状態となり、その状態から携帯型電子機器１をクレイドル５の方向に回転することによって携帯型電子機器１の受給用端子２と、前記コネクタ８が接触して携帯型電子機器１の駆動のための電源供給を可能にしている。
【００１５】
第３図は、第１図のＡ−Ａ断面を表わしたもので、７は勘合フックであり筒状の孔を有するリフトアップ片１１の孔内に配置構成され、また、勘合フック７はバネによってＺ方向に常に付勢されている。（図示せず）リフトアップ片１１は常にばね１３で押上げられており、ばね１３と勘合フック７は、上キャビ１５にビス固定された受けピース１２で支持されている。外表面の飾り１４は両面テープで上キャビ１５に固定されている。
【００１６】
このような構成のフック構造において、前記携帯型電子機器１をクレイドル５に回転装着していく場合、上から係止用孔４を有する底キャビ１６がリフトアップ片１１を押し下げることになり、若干押し下げられた位置から勘合フック７が左側へ瞬時に移動することによって係止用孔４と勘合関係となり携帯型電子機器１を固定することになる。
【００１７】
【発明の効果】
以上詳細に説明したように、本発明によれば、携帯型電子機器をクレイドルに装着しない場合は、クレイドルに設けられたコネクタはカバーで保護されているため、埃やゴミがコネクタに入り込むことはなく、また、コネクタが破損したり、コネクタの端子間を誤って短絡させて、クレイドルの内部回路に不具合が生じることもない。携帯型電子機器をクレイドルに装着する場合は、携帯型電子機器が動作片と当接するため、クレイドルのコネクタを保護するカバーが開閉し、コネクタを介して、携帯型電子機器とクレイドルを確実に接続することができる。
【００１８】
さらに、クレイドルの左右の係止用凹部と勘合フックを結ぶ三角形の面内であれば、任意の位置にコネクタを設けることができるため、クレイドルのデザインや設計の自由度が大きくなる。
【図面の簡単な説明】
【図１】本発明の実施の形態のクレイドルと携帯型電子機器の斜視図
【図２】本発明の実施の形態のクレイドルの側面図
【図３】本発明の実施の形態のクレイドルの断面図
【符号の説明】
１  携帯型電子機器
２  電源受給用端子
３  係止用凹部
４  係止用孔
５  クレイドル
６  勘合爪
７  勘合フック
８  コネクタ
９  カバー
１０  動作片
１１  リフトアップ片
１２  受けピース
１３  ばね
１４  飾り
１５  上キャビ
１６  底キャビ
【図１】
2004318648.tif 000003
【図２】
2004318648.tif 000004
【図３】
2004318648.tif 000005